(57)【要約】【課題】台間機を遊技機の左側あるいは右側の何れにも配置でき、台間機の製造コストを削減する。【解決手段】表示部２４の幅方向の中間部と台間機１０の筐体１４から突設された表示部支承腕３８とにわたって表示部２４を仮想軸Ａを中心に傾倒可能に支持する中空支軸４０を設け、中空支軸４０を中心とする表示部２４の傾倒動作に摩擦力を与える押圧部４２を設け、表示部支承腕３８が表示部２４の傾倒範囲外に位置するようにした。表示部２４を傾倒させても表示部２４が筐体１４および表示部支承腕３８に干渉せず、表示部２４の傾倒範囲を大きく確保することができる。【選択図】図１
2019093221.tif 000002
【特許請求の範囲】
【請求項１】
遊技機の側方に配置される台間機に用いられ上下方向に延在する仮想軸を中心に傾倒可能で前記仮想軸と直交する方向に沿った幅と前記仮想軸に沿った長さを有する表示部の支承構造であって、
前記台間機の筐体から突設された表示部支承腕と、
前記表示部の前記長さ方向の少なくとも一方の端部で前記表示部の前記幅方向の中間部と前記表示部支承腕とにわたって設けられ前記表示部を前記仮想軸を中心に傾倒可能に支持する中空支軸と、
前記中空支軸を中心とする前記表示部の傾倒動作に摩擦力を与える押圧部とを備え、
前記表示部支承腕は、前記表示部の傾倒範囲外に位置している、
ことを特徴とする遊技機の台間機に用いられる表示部の支承構造。
【請求項２】
前記中空支軸は、前記表示部の前記幅方向の中央部に設けられている、
ことを特徴とする請求項１記載の遊技機の台間機に用いられる表示部の支承構造。
【請求項３】
前記表示部は、前記幅および前記長さと直交する方向の厚さを有し、
前記表示部は、前記幅、前記長さ、前記厚さを有する表示部用筐体を備え、
前記表示部用筐体の前記厚さ方向の一方に面に、利用者に提供すべき情報を表示する表示面が設けられている、
ことを特徴とする請求項１または２記載の遊技機の台間機に用いられる表示部の支承構造。
【請求項４】
前記表示部用筐体の前記厚さ方向の他方の面で、かつ、前記表示部の前記長さ方向の少なくとも一方の端部の前記幅方向の中間部に、前記他方の面から膨出する膨出部が設けられ、
前記中空支軸は、前記表示部支承腕と前記膨出部にわたって設けられている、
ことを特徴とする請求項３記載の遊技機の台間機に用いられる表示部の支承構造。
【請求項５】
前記表示部用筐体の前記厚さ方向の一方に面で前記幅方向の中間部に利用者の顔を撮像するカメラが設けられている、
ことを特徴とする請求項３または４記載の遊技機の台間機に用いられる表示部の支承構造。
【請求項６】
前記表示面にタッチパネルが設けられ、
前記タッチパネルの操作に伴って前記カメラによる撮像画像の保存がなされる、
ことを特徴とする請求項５記載の遊技機の台間機に用いられる表示部の支承構造。
【発明の詳細な説明】
【技術分野】
【０００１】
本発明は、遊技機の台間機に用いられる表示部の支承構造に関する。
【背景技術】
【０００２】
従来、遊技店には、パチンコ台やスロット台のような遊技機が並べて配置され、各遊技機に隣接してパチンコ玉やメダル（遊技媒体）の払い出しを行なう遊技媒体貸出機（台間機）が配置されている。
遊技媒体貸出機は、筐体を備え、利用者が貨幣を貨幣投入口に投入することで、あるいは、所定のカード媒体をカード挿入口に挿入することで、筐体内部の払い出しホッパによりパチンコ玉やメダルの払い出しを行なう。
このような遊技媒体貸出機として、液晶モニタなどの表示部を設け、表示部に遊技媒体の払い出し数や獲得した遊技媒体の獲得数などの情報を表示させるようにしたものが提供されている。
そして、表示部を鉛直軸回りに傾倒可能に支持する支軸やヒンジを設け、利用者が表示部の角度を調整できるようにしたものが提供されている（特許文献１、２参照）。
【０００３】
ところで、近年、遊技媒体を投入することなく遊技を行なうことができる遊技機が開発されており、このような遊技機がパチンコ台の場合は管理遊技機と呼ばれ、スロット台の場合はメダルレス遊技機と呼ばれている。
このような管理遊技機やメダルレス遊技機を利用する場合、遊技媒体を払い出す遊技媒体貸出機に代えて、貨幣を投入することで、あるいは、カードを挿入することで遊技価値情報を管理遊技機やメダルレス遊技機に送信し、管理遊技機やメダルレス遊技機での遊技を可能とする台間機をそれら遊技機に併設することになる。
このような台間機は、遊技媒体の払い出しを行なう必要がないため、管理遊技機用の台間機とメダルレス遊技機用の台間機とは、ソフトウェアの相違はあるもののハードウェアおよび外形寸法が同じ台間機を使用することができる。
【０００４】
従来、遊技機がパチンコ台の場合、遊技媒体貸出機はパチンコ台の左側に配置されることが多く、遊技機がスロット台の場合、遊技媒体貸出機はスロット台の右側に配置されることが多い。これは、スロット台の左側に遊技媒体貸出機を配置した場合、スロット台の左側に設けられたヒンジを介してスロット台の扉を開放すると、スロット台の扉が構造的に分厚いため、スロット台の扉が遊技媒体貸出機のノズルとの干渉するので、これを避けるためなどの理由による。
したがって、長年、パチンコ台、スロット台を利用してきた利用者にとっては、パチンコ台に対応する管理遊技機の場合はその左側に台間機を配置し、スロット台に対応するメダルレス遊技機の場合はその右側に台間機を配置することが違和感なく遊技を行なう上で有利である。
また、遊技店において遊技媒体貸出機に投入された紙幣を搬送する紙幣搬送装置が既に存在する場合は、管理遊技機の場合はその左側に台間機を配置し、メダルレス遊技機の場合はその右側に台間機を配置することで、紙幣搬送装置を大きく変更することなく使用できるため、遊技店の設備コストを抑制する上で有利である。
【先行技術文献】
【特許文献】
【０００５】
【特許文献１】特開２００４−２７５７１７公報
【特許文献２】特開２０１８−４２９５５公報
【発明の概要】
【発明が解決しようとする課題】
【０００６】
ところで、このような管理遊技機やメダルレス遊技機に対応した台間機を使用する場合、遊技機の種類に応じて台間機を遊技機の左側あるいは右側に配置するため、何れの場合であっても、表示部を左側あるいは右側に傾倒させて表示部の表示面の向きを利用者に向けて調整できることが望ましい。
しかしながら、特許文献１、２の構造では、表示部を傾倒していくと表示部の部分が台間機の筐体に干渉する構造となっており、表示部の傾倒範囲が限定されている。
そのため、特許文献１、２を採用した場合は、管理遊技機およびメダルレス遊技機のそれぞれに対応して、表示部を右側に傾倒させる構造の台間機と、表示部を左側に傾倒させる構造の台間機とを別々に用意する必要がある。
したがって、表示部を右側に傾倒させる構造の台間機では遊技機の左側に設置し、表示部を左側に傾倒させる構造の台間機では遊技機の右側に設置しなければならないため、台間機の設置を簡単に行なう上で不利となり、また、遊技機の左側と右側に設置する台間機を製造しなければならないため、台間機についての費用がかさむ不利がある。
本発明は、上記事情に鑑みなされたものであり、本発明の目的は、台間機を遊技機の左側あるいは右側の何れにも配置でき、台間機の製造コストを削減する上で有利な遊技機の台間機に用いられる表示部の支承構造を提供することにある。
【課題を解決するための手段】
【０００７】
上記目的を達成するために、本発明は、遊技機の側方に配置される台間機に用いられ上下方向に延在する仮想軸を中心に傾倒可能で前記仮想軸と直交する方向に沿った幅と前記仮想軸に沿った長さを有する表示部の支承構造であって、前記台間機の筐体から突設された表示部支承腕と、前記表示部の前記長さ方向の少なくとも一方の端部で前記表示部の前記幅方向の中間部と前記表示部支承腕とにわたって設けられ前記表示部を前記仮想軸を中心に傾倒可能に支持する中空支軸と、前記中空支軸を中心とする前記表示部の傾倒動作に摩擦力を与える押圧部とを備え、前記表示部支承腕は、前記表示部の傾倒範囲外に位置していることを特徴とする。
また、本発明は、前記中空支軸は、前記表示部の前記幅方向の中央部に設けられていることを特徴とする。
また、本発明は、前記表示部は、前記幅および前記長さと直交する方向の厚さを有し、前記表示部は、前記幅、前記長さ、前記厚さを有する表示部用筐体を備え、前記表示部用筐体の前記厚さ方向の一方に面に、利用者に提供すべき情報を表示する表示面が設けられていることを特徴とする。
また、本発明は、前記表示部用筐体の前記厚さ方向の他方の面で、かつ、前記表示部の前記長さ方向の少なくとも一方の端部の前記幅方向の中間部に、前記他方の面から膨出する膨出部が設けられ、前記中空支軸は、前記表示部支承腕と前記膨出部にわたって設けられていることを特徴とする。
また、本発明は、前記表示部用筐体の前記厚さ方向の一方に面で前記幅方向の中間部に利用者の顔を撮像するカメラが設けられていることを特徴とする。
また、本発明は、前記表示面にタッチパネルが設けられ、前記タッチパネルの操作に伴って前記カメラによる撮像画像の保存がなされることを特徴とする。
【発明の効果】
【０００８】
本発明によれば、表示部を傾倒させても表示部が表示部支承腕に干渉せず、表示部の傾倒範囲を大きく確保することができる。
したがって、遊技店において遊技機のレイアウトやスペースなどに応じて台間機を遊技機の左側あるいは右側の何れの任意の箇所に何ら制約を受けることなく設置でき、遊技店において台間機の設置を簡単に行なう上で有利となる。
また、表示部を右側に傾倒させる構造の台間機と、表示部を左側に傾倒させる構造の台間機では遊技機の右側に設置する台間機とを別々に製造する必要がなくなるため、台間機の製造コストを削減し、遊技店において台間機についての費用を削減する上で有利となる。
また、中空支軸を表示部の幅方向の中央部に設けると、表示部を左右何れの方向に傾倒しても、表示部支承腕に対する表示部の位置関係を同一にできるため、台間機を遊技機の左右何れの側に配置した場合であっても、表示部を利用者から見やすい姿勢とすることができ、表示部の視認性を確保する上で有利となる。
また、表示部用筐体の厚さ方向の一方に面に、利用者に提供すべき情報を表示する表示面を設けると、台間機を遊技機の左側あるいは右側の何れに設置した場合であっても、表示部を傾倒させることで表示面に表示される情報の視認性を確保する上で有利となる。
また、表示部用筐体の厚さ方向の他方の面で、かつ、表示部の長さ方向の少なくとも一方の端部の幅方向の中間部に、他方の面から膨出する膨出部が設けられ、中空支軸は、上側表示部支承腕と膨出部にわたって設けられると、中空支軸の軸心は、表示部用筐体の背面板から離れた箇所に位置する。
したがって、表示部用筐体の内部の表示制御基板などに干渉することなく中空支軸の長さを大きく確保でき、表示部を１つの上側表示部支承腕のみで強固に支持する上で有利となる。
また、利用者に提供すべき情報を表示する表示面が設けられた表示部用筐体の箇所の幅方向の中間部に利用者の顔を撮像するカメラを設けると、表示面の向きとカメラの撮影方向とを一致させることができ、カメラにより利用者の顔を的確に撮像する上で有利となる。
また、表示部の表示面にタッチパネルを設け、利用者のタッチパネルの操作に伴ってカメラによる撮像画像の保存を行うようにすると、カメラにより利用者の顔を的確に撮像して撮像画像の保存を行なう上でより有利となる。
【図面の簡単な説明】
【０００９】
【図１】第１の実施の形態に係る台間機の斜視図である。
【図２】（Ａ）は第１の実施の形態に係る台間機の正面図、（Ｂ）は側面図、（Ｃ）は平面図である。
【図３】（Ａ）は表示部の表示面が左側に傾倒した状態を示す斜視図、（Ｂ）は表示部の表示面が右側に傾倒した状態を示す斜視図、（Ｃ）は中空支軸を通ってコードが配線されている状態を示す斜視図である。
【図４】表示部の表示面にカード返却の操作ボタンが表示された状態を示す表示部の正面図である。
【図５】第１の実施の形態の台間機がパチンコ台である管理遊技機の左側に配置された状態を示す斜視図である。
【図６】第１の実施の形態の台間機がスロット台であるメダルレス遊技機の右側に配置された状態を示す斜視図である。
【図７】第１の実施の形態における表示部の支承構造を示す断面図であり、（Ａ）は仮想軸を含む平面で破断した断面図、（Ｂ）は（Ａ）のＢ−Ｂ線断面図である。
【図８】第１の実施の形態における台間機および周辺装置の構成を示すブロック図である。
【図９】第２の実施の形態における表示部の支承構造を示す断面図であり、（Ａ）は仮想軸を含む平面で破断した断面図、（Ｂ）は（Ａ）のＢ−Ｂ線断面図である。
【発明を実施するための形態】
【００１０】
（第１の実施の形態）
以下、本発明の実施の形態について添付図面を参照して説明する。
図５、図６に示すように、台間機１０は、遊技機１２の側方に配置されるものである。
本実施の形態では、遊技機１２は、パチンコ玉（遊技媒体）を投入することなく遊技を行なうパチンコ台である管理遊技機１２Ａ、あるいは、メダル（遊技媒体）を投入することなく遊技を行なうスロット台であるメダルレス遊技機１２Ｂである。
図１、図２に示すように、台間機１０は、筐体１４と、状態表示ランプ１６と、紙幣硬貨処理部１８と、制御部２０と、カードリーダライタ２２と、表示部２４と、カメラ２６などを含んで構成されている。
【００１１】
筐体１４は、縦長直方体形状を呈し、底板１４０２と、底板１４０２の両側から起立する一対の側面板１４０４と、底板１４０２の前後から起立する正面板１４０６および背面板１４０８と、それら側面板１４０４、正面板１４０６、背面板１４０８の上端を接続する天板１４１０とを備え、中空状に構成されている。
筐体１４の内部には、上から順番に紙幣硬貨処理部１８、制御部２０、カードリーダライタ２２が収納され、正面板１４０６には、上から順番に状態表示ランプ１６、貨幣投入口１４１２、表示部２４、カード挿入口１４１４が設けられている。
【００１２】
状態表示ランプ１６は、台間機１０の状態を表示するものであり、正面板１４０６の上端に設けられている。
紙幣硬貨処理部１８は、貨幣投入口１４１２を含んで構成され、貨幣投入口１４１２から利用者が投入する紙幣や硬貨等の通貨を識別すると共に、通貨価値や当該紙幣硬貨処理部１８におけるステータス情報を出力する。
制御部２０は、台間機１０の各種制御を行なうものであり、具体的な構成については後述する。
カードリーダライタ２２は、カード挿入口１４１４から利用者により挿入されたカードの識別情報や遊技価値、通貨価値等の情報を読み取って後述する情報処理部２０Ａ（図８参照）に出力すると共に、当該カードリーダライタ２２におけるステータス情報を情報処理部２０Ａに出力する。また、情報処理部２０Ａの指令に基づいて、各種情報をカードに書き込む処理を行う。
また、カードリーダライタ２２内に一般カードのストック部を設けることによって、一般カードの発行や回収を行うこともできる。
また、カード取込式のカードリーダライタ２２に代えて、一般的にＮＦＣ（Ｎｅａｒ Ｆｉｅｌｄ Ｃｏｍｍｕｎｉｃａｔｉｏｎ：近距離無線通信規格）で用いられているカードリーダライタ（近距離無線通信用のアンテナが筐体１４の表面に設けられている形式）を用いることも可能である。その場合には、利用者により筐体１４の表面に配置されているアンテナにかざされた非接触式ＩＣカードに関して上記と同様の処理を行なう。
【００１３】
表示部２４は、利用者に提供すべき情報を表示するものであり、本発明に係る表示部の支承構造を介して筐体１４の正面板１４０６に傾倒可能に支持されている。
表示部２４は、図３（Ａ）、（Ｂ）に示すように、表示部の支承構造により上下方向に延在する仮想軸Ａを中心に傾倒可能に支持され、表示部２４はこの仮想軸Ａに沿った長さと、仮想軸Ａに直交する方向の幅と、長さおよび幅と直交する方向の厚さを有している。表示部２４とその支承構造については後で詳述する。
【００１４】
カメラ２６は、顔認証のために利用者の顔を撮像するものであり、図４に示すように、表示部２４の上部の幅方向の中央部に設けられている。カメラ２６については後で詳述する。
【００１５】
次に図８を参照して台間機１０と周辺装置の構成について詳細に説明する。
台間機１０の制御部２０は、情報処理部２０Ａと、遊技価値管理部２０Ｂと、通信ＩＦ２０Ｃと、入出力ポート（Ｉ／Ｏ）２０Ｄとを備えている。
【００１６】
情報処理部２０Ａは、ＣＰＵ（中央情報処理装置）、ＲＯＭ、ＲＡＭ等から構成され、台間機１０に搭載されている周辺機器に対する各種の制御や処理をプログラムに基づいて行う。
【００１７】
遊技価値管理部２０Ｂは、遊技機１２との間で情報の送受信を行う。遊技価値管理部２０Ｂが遊技価値情報を遊技機１２に送信すると、当該遊技価値情報を受信した遊技機１２において遊技の実行が可能となる。遊技機１２において遊技が終了した際には、遊技機１２が遊技価値情報を出力するので、遊技価値管理部２０Ｂは当該遊技価値情報を受信する。また、接続されている遊技機１２の遊技機情報（機種情報、性能情報、設置情報、遊技価値のＩＮ・ＯＵＴ情報、不正監視情報等）や、遊技状態情報（ボーナス情報、アシストタイム情報、確変情報、時短情報等）を取得することもできる。
【００１８】
通信ＩＦ２０Ｃは、上位の装置１００、１０２（中継基板、持玉あるいは持メダルサーバ、貯玉あるいは貯メダルサーバ、プリペイドサーバ、呼出ボタン、ホールコンピュータ等）と各種情報の送受信を行うポートである。
通信ＩＦ２０Ｃにて送受信する情報は、例えば紙幣硬貨処理部１８に挿入又は投入された通貨の通貨価値情報、紙幣硬貨処理部１８におけるステータス情報、カードリーダライタ２２が読み取ったカード情報、カードに書き込む書込情報、カードリーダライタ２２におけるステータス情報、遊技価値管理部２０Ｂが遊技機１２に出力した遊技価値情報、遊技価値管理部２０Ｂが遊技機１２から取得した遊技価値情報や遊技機情報、遊技状態情報、会員情報、持玉あるいは持メダル情報、カメラ２６が撮影した画像情報、当該台間機１０に対して利用者が行った操作情報、当該台間機１０におけるステータス情報、その他の情報が含まれる。
【００１９】
入出力ポート２０Ｄは、利用者が操作する後述する表示部２４に表示される操作ボタン３６（図４参照）の押下状況や、スイッチ等の接点状況を読み取って、その情報を情報処理部２０Ａに伝達する。
また、入出力ポート２０Ｄは、状態表示ランプ１６等の点灯や、音の発生を制御する。
また、入出力ポート２０Ｄは、外部表示器１０４に表示情報を出力したり、外部の紙幣硬貨搬送装置１０６との間で紙幣、硬貨の搬送に関する情報の入出力を行うことができる。
また、入出力ポート２０Ｄは、表示部２４に利用者に提供すべき情報を出力する。
【００２０】
利用者が遊技機１２を用いて遊技を行う場合には、例えば紙幣を紙幣硬貨処理部１８に挿入して、通貨価値を台間機１０に移行させる。次に、利用者が貸出ボタンを操作すると、台間機１０は通貨価値を遊技価値に変換した遊技価値情報を生成して遊技機１２に出力する。遊技機１２では、台間機１０から取得した遊技価値情報に基づいて遊技を実行することが可能となる。
なお、台間機１０は、カードと関連付けられている通貨情報、持玉あるいは持メダル情報、又は貯玉あるいは貯メダル情報に基づいて遊技価値情報を生成して遊技機１２に出力することもできる。
【００２１】
遊技が終了して利用者が遊技機１２に設けられている計数ボタンを押すと、遊技機１２は遊技価値情報を台間機１０に出力する。台間機１０は、遊技機１２から取得した遊技価値情報を持玉あるいは持メダル情報に変換する。利用者がカード返却ボタンを押すと、持玉あるいは持メダル情報を会員カード又は一般カードに書き込んで排出する。また、カードリーダライタ２２が非接触型ＩＣカードに対応したものであった場合には、利用者がカードリーダライタ２２にかざしたカード（非接触型ＩＣカード）に持玉あるいは持メダル情報を書き込むこともできる。
【００２２】
図３（Ｃ）、図４、図７に示すように、表示部２４は、表示部用筐体２８と、表示器３０と、タッチパネル３２とを含んで構成されている。
図４、図７に示すように、表示部用筐体２８は、上下に縦長の矩形板状を呈し、矩形板状の背面板２８０２と、背面板２８０２の長さ方向の両端から起立する上面板２８０４および下面板２８０６と、背面板２８０２の長さ方向と直交する幅方向の両端から起立する一対の側面板２８０８と、上面板２８０４、下面板２８０６、一対の側面板２８０８を接続する矩形枠状の前面板２８１０とを備え、前面板２８１０の内側に矩形状の開口２８１２が形成されている。
【００２３】
表示器３０は、例えば、液晶パネルや有機ＥＬパネルで構成され、細長の矩形板状を呈し、長手方向を一致させて表示部用筐体２８の内部のベースプレート３４（図７（Ａ）参照）に収容保持されている。
表示器３０は、利用者に提供すべき情報を表示する表示面３０Ａを有し、表示面３０Ａは矩形状を呈し、開口２８１２から露出され、したがって、表示面３０Ａは表示部用筐体２８の厚さ方向の一方の面に設けられている。
利用者に提供すべき情報は、例えば、紙幣硬貨処理部１８に紙幣が挿入されている状況や硬貨が投入されている状況、挿入又は投入された通貨価値、カードリーダライタ２２によるカードの読み取り状況、カードの種別、カードに記録されている情報、会員情報、持玉あるいは持メダルの情報、持玉共有あるいは持メダル共有に関する情報、貯玉あるいは貯メダル情報、貯玉あるいは貯メダル乗入れに関する情報、遊技機１２にて使用可能な遊技価値に関する情報、遊技機１２から取得した遊技価値に関する情報、次に利用者が行う操作に関する情報、当該台間機１０の状態、通信状況、エラー情報、メンテナンス情報、広告、案内等である。
【００２４】
タッチパネル３２は、表示面３０Ａの表面に重ね合わせて設けられており、図４に示すように、表示面３０Ａに操作ボタン３６が表示されることで、利用者がそれら操作ボタン３６をタッチすることにより、操作がなされるように構成されている。
すなわち、表示面３０Ａに表示される操作ボタン３６は、例えば、カード返却ボタン、遊技価値の貸出ボタン、会員カード等の暗証番号入力ボタン、取消ボタン、決定ボタン、カーソルキー、表示切替ボタン、持玉あるいは持メダルの共有ボタン、貯玉あるいは貯メダル乗入れに関する操作ボタン３６、メンテナンス用のカード回収ボタン、情報表示ボタン、休憩モードに関するボタン、リセットボタン等である。
【００２５】
カメラ２６は、顔認証のために利用者の顔を撮像するものであり、表示面３０Ａが設けられた表示部用筐体２８の箇所、本実施の形態では、前面板２８１０の上部の幅方向の中央部に設けられている。
カメラ２６による撮影は、タッチパネル３２の操作時、すなわち、表示面３０Ａに表示される操作ボタン３６の操作時に行なうことができる。
また、操作ボタン３６の操作に伴って、カメラ２６で利用者の顔の撮像し撮像画像の保存を行うことができる。
また、カメラ２６による撮影は、定期的に行うこともできるし、現金挿入時やカード挿入時、カード返却時、エラー検出時、不正検出時、貸出ボタン操作時等のイベント発生時の撮影画像を用いて、利用者の認証や利用者の交代を判断することもできる。
また、定期的に撮影画像を一時保存しておき、イベント発生時の直前（２秒前など）に一時保存した撮影画像とイベントとを関連付けて保存する構成を用いることもできる。
カメラ２６による撮影画像は、台間機１０の情報処理部２０Ａが読み取ってその後の処理を行っても良いし、上位のカメラサーバ１０８（図８参照）が撮影画像を管理する構成を用いることもできる。
【００２６】
次に、第１の実施の形態の表示部の支承構造について詳細に説明する。
表示部の支承構造は、図３、図７に示すように、表示部支承腕３８と、中空支軸４０と、押圧部４２とを含んで構成されている。
図１に示すように、表示部支承腕３８は上下に間隔をおいて２つ設けられた上側表示部支承腕３８Ａと、下側表示部支承腕３８Ｂとで構成され、それら上側表示部支承腕３８Ａと下側表示部支承腕３８Ｂは、正面板１４０６の貨幣投入口１４１２の下方でカード挿入口１４１４の上方の箇所から突設されている。
【００２７】
まず、上側の表示部の支承構造について説明する。
図７に示すように、上側表示部支承腕３８Ａは、中空状を呈し、筐体１４の内側からねじＮ１により正面板１４０６に取着される矩形枠状の背面板３８０２と、背面板３８０２の上下から正面板１４０６の前方に突設された上面板３８０４および下面板３８０６と、それら上面板３８０４と下面板３８０６を接続する側面板３８０８とを有し、下面板３８０６の先部に支軸挿通孔３８１０が形成されている。
上側表示部支承腕３８Ａは、平面視した場合、正面板１４０６から離れるにつれて左右方向の幅が次第に縮小するように形成され、また、上面板３８０４は背面板３８０２から離れるにつれて高さが次第に低くなるように傾斜して配置されている。
【００２８】
上側表示部支承腕３８Ａの内部にブラケット４４が設けられている。
ブラケット４４は、背面板３８０２の内側で正面板１４０６にねじＮ２で取着された基板部４４０２と、基板部４４０２の下端から上側表示部支承腕３８Ａの下面板３８０６の上方で下面板３８０６に平行して延在する取り付け板部４４０４とを有している。
また、基板部４４０２にはコード挿通孔４４１０が貫通形成されている。
取り付け板部４４０４の先部にはねじＮ３により第１支持板４６が設けられている。
【００２９】
ベースプレート３４の上部屈曲部３４０２の上面に環状の第２支持板４８がねじＮ４により取着されている。
表示部２４の上面板２８０４と、ベースプレート３４の上部屈曲部３４０２と、第２支持板４８と、第１支持板４６とに、上側表示部支承腕３８Ａの支軸挿通孔３８１０と同軸上にそれぞれ支軸挿通孔２８２０、３４１０、４８０２、４６０２が形成されている。
中空支軸４０は、表示部２４の内部の上端と上側表示部支承腕３８Ａの内部の先部とにわたって設けられている。
中空支軸４０は、中空状で金属製である。
中空支軸４０は、下部大径部４００２と、下部大径部４００２から上方に突出する筒部４００４とを有し、下部大径部４００２から筒部４００４にわたり配線用孔４００６が貫通形成されている。
筒部４００４は、ベースプレート３４の上部屈曲部３４０２の支軸挿通孔３４１０、第２支持板４８の支軸挿通孔４８０２、表示部用筐体２８の上面板２８０４の支軸挿通孔２８２０、上側表示部支承腕３８Ａの下面板３８０６の支軸挿通孔３８１０、第１支持板４６の支軸挿通孔４６０２に挿通されている。
【００３０】
下部大径部４００２の上に筒部４００４を挿通して環板状の第１ブッシュ５０Ａが配置され、下部大径部４００２直上の筒部４００４の箇所は第１ブッシュ５０Ａと共に上部屈曲部３４０２の支軸挿通孔３８１０に挿通されている。
第１支持板４６と第２支持板４８との間に筒状の第２ブッシュ５０Ｂが配置され、第２支持板４８から上方に突出する筒部４００４の部分は第２ブッシュ５０Ｂに挿通されている。
第１支持板４６の上に環板状の第３ブッシュ５０Ｃが配置され、第３ブッシュ５０Ｃの上に環板状の第１ワッシャ５２Ａを介して複数の環板状の皿ばね５４が配置され、それら皿ばね５４の上に環板状の第２ワッシャ５２Ｂが配置されている。
第１支持板４６から上方に突出する筒部４００４の部分は、第３ブッシュ５０Ｃ、第１ワッシャ５２Ａ、複数の皿ばね５４、第２ワッシャ５２Ｂに挿通され、筒部４００４の上端４０１０は、複数の皿ばね５４を圧縮した状態で径方向外側に加締められている。
筒部４００４の上端４０１０が加締められることにより、第１ブッシュ５０Ａ、第２ブラケット４４、第２ブッシュ５０Ｂ、第１ブラケット４４、第３ブッシュ５０Ｃは、第２ワッシャ５２Ｂと下部大径部４００２とにより筒部４００４の軸方向において挟持され、表示部２４を中空支軸４０を中心に傾倒でき、かつ、その傾倒した表示部２４の姿勢が保持されるフリーストップヒンジが構成されている。
本実施の形態では、中空支軸４０を中心とする表示部２４の傾倒動作に摩擦力を与える押圧部４２は、加締められた筒部４００４の上端４０１０、第２ワッシャ５２Ｂ、複数の皿ばね５４、第１ワッシャ５２Ａ、第３ブッシュ５０Ｃ、第１ブラケット４４、第２ブッシュ５０Ｂ、第２ブラケット４４、第１ブッシュ５０Ａ、下部大径部４００２を含んで構成されている。
また、中空支軸４０は、上下方向に延在し、本実施の形態では、鉛直方向に延在し、表示部２４の幅方向の中間部に設けられ、本実施の形態では、幅方向の中央部でかつ厚さ方向の中央部に設けられている。
【００３１】
次に、下側の表示部の支承構造について説明する。
図３（Ａ）、（Ｂ）に示すように、下側表示部支承腕３８Ｂは、上側表示部支承腕３８Ａと同様に、中空状を呈し、ねじにより正面板１４０６に取着されている。
下側表示部支承腕３８Ｂでの先部の上面には、大径部と小径部とが同軸上に並べられた下側支軸が設けられている。
また、表示部用筐体２８の下面板２８０６には、軸心を上下方向に向けた中空で筒状の軸受部が設けられている。
そして、下側支軸の小径部が軸受部に挿通され、下側支軸の大径部が軸受部の下面に係合されることにより、表示部用筐体２８の下面板３８０６が下側支軸を介して中空支軸４０と同軸上で下側表示部支承腕３８Ｂにより傾倒可能に支持されている。
このように表示部２４が上側表示部支承腕３８Ａと下側表示部支承腕３８Ｂとにより傾倒可能に支持された状態で、筐体１４と上側表示部支承腕３８Ａと下側表示部支承腕３８Ｂとは、表示部２４が１２０度〜１８０度程度傾倒できるように、表示部２４の傾倒範囲外に位置している。
表示器３０、タッチパネル３２、カメラ２６と、制御部２０とを接続するコード５４は、図３（Ｃ）、図７（Ａ）に示すようにコード挿通孔４４１０、上側表示部支承腕３８Ａの内部、中空支軸４０の配線用孔４００６を挿通して筐体１４と表示部２４との間に設けられている。
【００３２】
なお、下側の表示部の支承構造には従来公知の様々な支承構造が採用可能である。
また、下側の表示部の支承構造は、上述の上側の表示部の支承構造を強固に構成することにより省略可能であり、また、上下を逆にして上述の上側の表示部の支承構造を下側の表示部の支承構造に適用した場合には、上側の表示部の支承構造を省略してもよい。
【００３３】
本実施の形態によれば、次の作用効果が奏される。
表示部２４の幅方向の中間部と台間機１０の筐体１４から突設された表示部支承腕３８とにわたって表示部２４を仮想軸Ａを中心に傾倒可能に支持する中空支軸４０を設け、中空支軸４０を中心とする表示部２４の傾倒動作に摩擦力を与える押圧部４２を設け、筐体１４および表示部支承腕３８が表示部２４の傾倒範囲外に位置するようにした。
そのため、表示部２４を傾倒させても表示部２４が筐体１４および表示部支承腕３８に干渉せず、表示部２４の傾倒範囲を大きく確保することができる。
したがって、遊技店において遊技機１２のレイアウトやスペースなどに応じて台間機１０を遊技機１２の左側あるいは右側の何れの任意の箇所に何ら制約を受けることなく設置でき、遊技店において台間機１０の設置を簡単に行なう上で有利となる。
また、表示部２４を右側に傾倒させる構造の台間機１０と、表示部２４を左側に傾倒させる構造の台間機１０とを別々に製造する必要がなくなるため、台間機１０の製造コストを削減し、遊技店において台間機１０についての費用を削減する上で有利となる。
【００３４】
また、本実施の形態では、中空支軸４０は、表示部２４の幅方向の中央部に設けられているので、表示部２４を左右何れの方向に傾倒しても、表示部支承腕３８に対する表示部２４の位置関係を同一にできるため、台間機１０を遊技機１２の左右何れの側に配置した場合であっても、表示部２４を利用者から見やすい姿勢とすることができ、表示部２４の視認性を確保する上で有利となる。
【００３５】
また、本実施の形態では、表示部用筐体２８の厚さ方向の一方に面に、利用者に提供すべき情報を表示する表示面３０Ａが設けられているので、台間機１０を遊技機１２の左側あるいは右側の何れに設置した場合であっても、表示部２４を傾倒させることで表示面３０Ａに表示される情報の視認性を確保する上で有利となる。
【００３６】
また、本実施の形態では、利用者に提供すべき情報を表示する表示面３０Ａが設けられた表示部用筐体２８の箇所の幅方向の中間部に利用者の顔を撮像するカメラ２６を設けたので、表示面３０Ａの向きとカメラ２６の撮影方向とを一致させることができる。
そのため、利用者が表示部２４を見易い角度に傾倒することで、カメラ２６の撮影方向が利用者の顔を指向する可能性が高くなり、カメラ２６により利用者の顔を的確に撮像する上で有利となる。
【００３７】
また、本実施の形態では、表示部２４の表示面３０Ａにタッチパネル３２を設け、利用者がタッチパネル３２を操作した時に、カメラ２６で利用者の顔の撮像を行うようにした。
したがって、タッチパネル３２の操作に伴い利用者の顔がカメラ２６に近づいた状態で利用者の顔を撮像できる可能性が高くなり、カメラ２６により利用者の顔を的確に撮像する上でより有利となる。
また、タッチパネル３２の操作に伴って、カメラ２６で利用者の顔の撮像し撮像画像の保存を行うようにすると、カメラ２６により利用者の顔を的確に撮像して撮像画像の保存を行なう上でより有利となる。
【００３８】
（第２の実施の形態）
次に、第２の実施の形態の表示部の支承構造について図９を参照して詳細に説明する。
なお、以下の実施の形態では、第１の実施の形態と同様な箇所、部材に同一の符号を付してその説明を省略し、異なった箇所を重点的に説明する。
第２の実施の形態では、上側表示部支承腕３８Ａのみにより表示部２４を傾倒可能に支持したものであり、下側表示部支承腕３８Ｂを省略した点が第１の実施の形態と異なっている。
すなわち、上側表示部支承腕３８Ａのみにより表示部２４を強固に支持する観点から中空支軸５６が第１の実施の形態に比べて長くなっており、平面視した場合、中空支軸５６の軸心は、表示部用筐体２８の背面板２８０２から離れた箇所に位置し、長くなった中空支軸５６が表示部用筐体２８内部の種々の部品に干渉しないように図られている。
【００３９】
上側表示部支承腕３８Ａの内部に、ブラケット５８を介して上側支持部材６０が設けられている。
ブラケット５８は、筐体１４の正面板１４０６にねじＮ１０で取着される基板部５８０２と、基板部５８０２の下端から上側表示部支承腕３８Ａの下面板３８０６上で正面板１４０６から離れる方向に突出する底面板５８０４と、底面板５８０４の両側から起立する一対の取り付け板部５８０６を有し、一対の取り付け板部５８０６の基板部５８０２側の端部は基板部５８０２に接続されている。
基板部５８０２と筐体１４の正面板１４０６とにわたりコード挿通孔５８１０が形成されている。
【００４０】
上側支持部材６０は、一対の取り付け板部５８０６のうちの一方の取り付け板部５８０６に設けられている。
上側支持部材６０は、取り付け板部５８０６にねじＮ１１で取着される基板部６００２と、基板部６００２の上下から突設された上第１フランジ６００４および上第２フランジ６００６を有している。
上第１フランジ６００４および上第２フランジ６００６には、上側表示部支承腕３８Ａの下面板３８０６の支軸挿通孔３８１０と同軸上に支軸挿通孔６００４Ａ、６００６Ａが設けられている。
【００４１】
表示部用筐体２８の背面板２８０２の上部に膨出部６２が設けられている。
膨出部６２は、背面板２８０２の幅方向に間隔をおいた箇所から起立する周面板６２０２と、表示部用筐体２８の上面板２８０４から突出され周面板６２０２の上端を閉塞する上面板６２０４と、背面板２８０２から起立し周面板６２０２の下端する底面板６２０６とを備えている。
上面板６２０４には、上側表示部支承腕３８Ａの下面板３８０６の支軸挿通孔３８１０と同軸上に支軸挿通孔６２１０が設けられている。
膨出部６２の内部には、下側支持部材６４が設けられている。
下側支持部材６４は、ベースプレート３４にねじＮ１２で取着される一対の取り付け板６４０２と、一対の取り付け板６４０２から突設された下第１フランジ６４０４および下第２フランジ６４０６とを有している。
下第１フランジ６４０４および下第２フランジ６４０６には、上面板６２０４の支軸挿通孔６２１０と同軸上に支軸挿通孔６４０４Ａ、６４０６Ａが設けられている。
【００４２】
中空支軸５６は、膨出部６２の内部から上側表示部支承腕３８Ａの内部の先部とにわたって設けられている。
中空支軸５６は、中空状で金属製である。
中空支軸５６は、均一内外径で延在する筒部５６０２と、筒部５６０２の下端に設けられた雄ねじ５６０４と、筒部５６０２の上端に設けられた鍔部５６０６とを有し、雄ねじ５６０４から鍔部５６０６にわたり配線用孔５６０８が貫通形成されている。
筒部５６０２は、上第１フランジ６００４の支軸挿通孔６００４Ａ、上第２フランジ６００６の支軸挿通孔６００６Ａ、上側表示部支承腕３８Ａの下面板３８０６の支軸挿通孔３８１０、膨出部６２の上面板６２０４の支軸挿通孔６２１０、下第１フランジ６４０４の支軸挿通孔６４０４Ａ、下第２フランジ６４０６の支軸挿通孔６４０６Ａに挿通されている。
【００４３】
鍔部５６０６の下面と上第１フランジ６００４との間で筒部５６０２上に環板状の第１ブッシュ６２Ａが配置され、上第１フランジ６００４と上第２フランジ６００６との間で筒部５６０２上に筒状の第１カラー６４Ａが配置され、上第２フランジ６００６と下第１フランジ６４０４との間で筒部５６０２上に筒状の第２ブッシュ６２Ｂが配置され、下第１フランジ６４０４と下第２フランジ６４０６との間で筒部５６０２上に筒状の第２カラー６４Ｂが配置され、下第２フランジ６４０６とその下方に配置されたワッシャ６６上で筒部５６０２上に筒状の第３ブッシュ６２Ｃが配置され、ワッシャ６６の下方に雄ねじ５６０４に螺合されたナット６８が配置される。
そして、ナット６８を締め付けることにより、第１ブッシュ６２Ａ、上第１フランジ６００４、第１カラー６４Ａ、上第２フランジ６００６、第２ブッシュ６２Ｂ、下第１フランジ６４０４、第２カラー６４Ｂ、下第２フランジ６４０６、第３ブッシュ６２Ｃは、鍔部５６０６とワッシャ６６との間で筒部５６０２の軸方向において挟持され、表示部２４を中空支軸５６を中心に傾倒でき、かつ、その傾倒した表示部２４の姿勢が保持されるフリーストップヒンジが構成されている。
本実施の形態では、中空支軸５６を中心とする表示部２４の傾倒動作に摩擦力を与える押圧部４２は、鍔部５６０６、第１ブッシュ６２Ａ、上第１フランジ６００４、第１カラー６４Ａ、上第２フランジ６００６、第２ブッシュ６２Ｂ、下第１フランジ６４０４、第２ブッシュ６２Ｂ、下第２フランジ６４０６、第２カラー６４Ｂ、ワッシャ６６、ナット６８を含んで構成されている。
また、中空支軸５６は、上下方向に延在し、本実施の形態では、鉛直方向に延在し、表示部２４の幅方向の中央部で表示部用筐体２８の背面板２８０２から離れた箇所に設けられている。
このように表示部２４が上側表示部支承腕３８Ａにより傾倒可能に支持された状態で、筐体１４と上側表示部支承腕３８Ａは、表示部２４が１２０度〜１８０度程度傾倒できるように、表示部２４の傾倒範囲外に位置している、
表示器３０、タッチパネル３２、カメラ２６と制御部２０とを接続するコード５４は、図９（Ａ）に示すようにコード挿通孔５８１０、上側表示部支承腕３８Ａの内部、膨出部６２の内部、中空支軸５６の配線用孔５６０８を挿通して筐体１４と表示部２４との間に設けられている。
【００４４】
第２の実施の形態によれば、第１の実施の形態と同様の効果が奏されることは無論のこと、上側表示部支承腕３８Ａのみにより表示部２４を傾倒可能に支持したので、部品点数の削減、製造コストの削減を図る上で有利となる。
また、第２の実施の形態では、表示部用筐体２８の厚さ方向の他方の面で、かつ、表示部２４の長さ方向の少なくとも一方の端部の幅方向の中間部に、他方の面から膨出する膨出部６２が設けられ、中空支軸５６は、上側表示部支承腕３８Ａと膨出部６２にわたって設けられているので、中空支軸５６の軸心は、表示部用筐体２８の背面板２８０２から離れた箇所に位置する。
したがって、表示部用筐体２８の内部の表示制御基板などに干渉することなく中空支軸５６の長さを大きく確保でき、表示部２４を１つの上側表示部支承腕３８Ａのみで強固に支持する上で有利となる。
また、第２の実施の形態においても、第１の実施の形態と同様に、中空支軸５６は、表示部２４の幅方向の中央部に設けられているので、表示部２４を左右何れの方向に傾倒しても、上側表示部支承腕３８Ａに対する表示部２４の位置関係が同一になるため、台間機１０を遊技機１２の左右何れの側に配置した場合であっても、表示部２４を利用者から見やすい姿勢とすることができ、表示部２４の視認性を確保する上で有利となる。
【００４５】
上記の第１及び第２の実施の形態では、表示部２４の傾倒動作に摩擦力を与える構造として、表示部２４がどの傾倒位置にあっても均一な摩擦力（保持力）が加わる構造の実施形態を説明した。上記の実施形態に代えて、表示部２４の傾倒動作に伴ってカチッカチッと摩擦力が増減するステップ動作を生じる構造を採用することもできる。
このステップ動作を与える構造として、例えば第１の実施の形態において、傾倒方向の摩擦力を発生している第１支持板４６と第２ブッシュ５０Ｂとの接触面、及び第２支持板４８と第２ブッシュ５０Ｂとの接触面の形状を、放射状の凹部と放射状の凸部とを交互に形成することにより、円周に沿った浅い波形を形成しておく。そして、双方の波形における放射状の凹部と放射状の凸部とが互いに嵌合するように組み合わせておき、表示部２４の傾倒動作に伴って第１支持板４６の凸部が第２ブッシュ５０Ｂの凸部を乗り越える毎に（又は第２支持板４８の凸部が第２ブッシュ５０Ｂの凸部を乗り越える毎に）、傾倒方向の摩擦力が増減する構造を採用することができる。
【符号の説明】
【００４６】
１０  台間機
１２  遊技機
１２Ａ  管理遊技機（パチンコ台）
１２Ｂ  メダルレス遊技機（スロット台）
１４  筐体
２４  表示部
２６  カメラ
２８  表示部用筐体
３０Ａ  表示面
３２  タッチパネル
３８  表示部支承腕
３８Ａ  上側表示部支承腕
４０  中空支軸
４２  押圧部
６２  膨出部
Ａ  仮想軸
【図１】
2019093221.tif 000003
【図２】
2019093221.tif 000004
【図３】
2019093221.tif 000005
【図４】
2019093221.tif 000006
【図５】
2019093221.tif 000007
【図６】
2019093221.tif 000008
【図７】
2019093221.tif 000009
【図８】
2019093221.tif 000010
【図９】
2019093221.tif 000011